(57)【特許請求の範囲】
【請求項１】
貯蔵庫本体に付設され、圧縮機、空冷式の凝縮器等を有する冷凍装置が設置された機械室には、前記冷凍装置の制御部等を収容した電装箱が設けられた冷却貯蔵庫において、
前記電装箱内には、同電装箱における前記凝縮器を冷却するべく冷却風が通る冷却風路とは対向しない所定の面の裏側に方形状をなす基板が縦向きの姿勢で収容され、この基板の左右の側縁及び下縁に沿って複数の電装箱側のコネクタが取り付けられるとともに、
前記電装箱の前記所定面には、前記電装箱側のコネクタの配列に対応して左右の辺と下辺とを有する正面凹字状をなす凹溝が凹み形成され、
前記凹溝の溝底には前記電装箱側のコネクタと対応する位置ごとに挿通孔が開口されて、前記電装箱側のコネクタの嵌合端が前記挿通孔を通して前記凹溝内に突出し、前記凹溝内で相手コネクタと嵌合可能となっており、
かつ、前記凹溝の開口の全域を覆う正面方形のカバーが備えられるとともに、前記凹溝の前記３辺における外側の側縁に沿って前記カバーの対応する側縁がほぼ緊密に嵌るガイド部が設けられ、
前記カバーは、前記ガイド部と係合しつつ前記電装箱の前記所定面に沿って上方から抜き差しされることにより脱着可能となっていることを特徴とする冷却貯蔵庫。
【請求項２】
前記カバーには前記凹溝の一部に開口した切欠部が形成され、前記電装箱側のコネクタと接続された前記相手コネクタの電線が前記切欠部から外部へ引き出し可能とされていることを特徴とする請求項１記載の冷却貯蔵庫。
【請求項３】
前記電装箱は前記冷却風路の側方において前記冷却風が流れる方向に沿った向きで設けられ、同電装箱の前記冷却風路と対向する面が、金属製の放熱板によって形成されていること特徴とする請求項１または請求項２記載の冷却貯蔵庫。
【請求項４】
前記凹溝の溝底に開口された前記挿通孔の裏面の口縁には前記電装箱側のコネクタの回りを囲む筒部が形成され、この筒部の先端側が前記基板まで延出していることを特徴とする請求項１ないし請求項３のいずれかに記載の冷却貯蔵庫。
【発明の詳細な説明】
【技術分野】
【０００１】
本発明は冷却貯蔵庫に関し、特に機械室に装備された電装箱に関する。
【背景技術】
【０００２】
例えば業務用の冷蔵庫では、冷蔵庫本体の天面に機械室が設けられ、同機械室内に、圧縮機、空冷式の凝縮器等からなる冷凍装置が設置されて庫内の冷却器と循環接続されているとともに、冷凍装置の側方に、当該冷凍装置の制御部等を収容した電装箱が設けられている（例えば、特許文献１参照）。  
より具体的には、電装箱内には各種電気部品を搭載した回路基板が収容される一方、同回路基板と接続された複数のコネクタが、電装箱の外面から突出して設けられ、それぞれ冷凍装置等から引き出された相手コネクタと嵌合接続されている。
【特許文献１】特開２０００−２３４８４４公報
【発明の開示】
【発明が解決しようとする課題】
【０００３】
ところで冷却運転時には、冷凍装置の圧縮機が運転される一方で、凝縮器ファンが駆動されて冷却風としての外気が凝縮器に当てられ、そのとき外気の一部が電装箱付近にも流通するのであるが、設置環境等によって外気中に塵埃が混じっていると、これがコネクタ同士の嵌合部分に侵入して接触不良等を招くおそれがあり、その対策が切望されていた。
本発明は上記のような事情に基づいて完成されたものであって、その目的は、電装箱のコネクタに対する塵埃の侵入を低減するところにある。
【課題を解決するための手段】
【０００４】
請求項１の発明は、貯蔵庫本体に付設され、圧縮機、空冷式の凝縮器等を有する冷凍装置が設置された機械室には、前記冷凍装置の制御部等を収容した電装箱が設けられた冷却貯蔵庫において、前記電装箱内には、同電装箱における前記凝縮器を冷却するべく冷却風が通る冷却風路とは対向しない所定の面の裏側に方形状をなす基板が縦向きの姿勢で収容され、この基板の左右の側縁及び下縁に沿って複数の電装箱側のコネクタが取り付けられるとともに、前記電装箱の前記所定面には、前記電装箱側のコネクタの配列に対応して左右の辺と下辺とを有する正面凹字状をなす凹溝が凹み形成され、前記凹溝の溝底には前記電装箱側のコネクタと対応する位置ごとに挿通孔が開口されて、前記電装箱側のコネクタの嵌合端が前記挿通孔を通して前記凹溝内に突出し、前記凹溝内で相手コネクタと嵌合可能となっており、かつ、前記凹溝の開口の全域を覆う正面方形のカバーが備えられるとともに、前記凹溝の前記３辺における外側の側縁に沿って前記カバーの対応する側縁がほぼ緊密に嵌るガイド部が設けられ、前記カバーは、前記ガイド部と係合しつつ前記電装箱の前記所定面に沿って上方から抜き差しされることにより脱着可能となっている構成としたところに特徴を有する。
【０００６】
請求項２の発明は、請求項１に記載のものにおいて、前記カバーには前記凹溝の一部に開口した切欠部が形成され、前記電装箱側のコネクタと接続された前記相手コネクタの電線が前記切欠部から外部へ引き出し可能とされているところに特徴を有する。
請求項３の発明は、請求項１または請求項２に記載のものにおいて、前記電装箱は前記冷却風路の側方において前記冷却風が流れる方向に沿った向きで設けられ、同電装箱の前記冷却風路と対向する面が、金属製の放熱板によって形成されているところに特徴を有する。
【０００７】
請求項４の発明は、請求項１ないし請求項３のいずれかに記載のものにおいて、前記凹溝の溝底に開口された前記挿通孔の裏面の口縁には前記電装箱側のコネクタの回りを囲む筒部が形成され、この筒部の先端側が前記基板まで延出しているところに特徴を有する。
【発明の効果】
【０００８】
＜請求項１の発明＞
電装箱側のコネクタは凹溝内に配設され、その凹溝内で相手コネクタと嵌合接続される。凹溝を設けた面側には冷却風が回り難く、一部が回ったとしても同面に沿うように流れて凹溝内には流入し難い。したがって仮に冷却風中に塵埃が混じっていてもコネクタ同士の接続部分に侵入することが回避される。もって接触不良が防止され、電気的接続の信頼性を高めることができる。しかも、電装箱の所定面に凹溝を形成してそこにコネクタを配するといった簡単な構造で対応できる。
電装箱側のコネクタが、電装箱の外面から引っ込んで配されているから、電装箱自体を取り扱う場合にコネクタをぶつけたり、また電装箱の設置後にも、機械室内への設置部材等を不用意にコネクタに引っ掛けることから回避される。
【０００９】
また、稼働時にはカバーで凹溝を覆っておくと、凹溝内に冷却風ひいては塵埃が侵入することがより確実に防止される。メンテナンス等においてコネクタ同士の嵌合を外す場合は、カバーを外せばよい。カバーの脱着用のスペースが少なくて済む。
【００１０】
＜請求項２の発明＞
カバーの一部に切欠部を設けるといった簡単な構造により、相手コネクタの電線を凹溝内から外部へまとめて導出することができる。
＜請求項３の発明＞
凝縮器の冷却風が放熱板に沿うように流れるから、高い放熱性が得られる。そのため、電装箱内に発熱部品が収納されていた場合、放熱板の裏面に接触または接近して配することにより、同発熱部品の冷却を良好に行うことができる。
【００１１】
＜請求項４の発明＞
基板上にコネクタが搭載されている場合は、同コネクタは筒部から挿通孔を通って、その嵌合端が凹溝内に突出する。仕様等の相違により、コネクタが基板上に搭載されない箇所があった場合でも、同箇所では、挿通孔の裏面側の口縁から延出して形成された筒部が基板まで達していることによって、筒部の先端が基板で塞がれた状態となる。よって、塵埃や害虫等の異物が侵入することが防止される。コネクタが搭載されていない場合でも、別途挿通孔を塞ぐ手段を講じる必要がない。
【発明を実施するための最良の形態】
【００１２】
＜実施形態１＞
本発明の実施形態１を図１ないし図５によって説明する。  
本実施形態は４ドアタイプの業務用冷蔵庫を例示し、図１において、冷蔵庫本体１０は前面開口の断熱箱体から構成され、内部が貯蔵室１１となっており、前面開口部１２には４枚の断熱扉１３が揺動開閉可能に装着されている。  
冷蔵庫本体１０の上面には、回りにパネル１６が立てられる等によって機械室１５が形成されている。機械室１５の底面となる冷蔵庫本体１０の上面には、図２に示すように、方形の開口部１８が形成され、この開口部１８に冷却ユニット２０が装着されている。
【００１３】
冷却ユニット２０は、上記した開口部１８を塞いで載せられる断熱性のユニット台２１を備えており、その上面には冷凍装置２２が設置されている。冷凍装置２２は、圧縮機２３、空冷式の凝縮器２４等を備え、図３にも示すように、ユニット台２１上の正面から見た左側の領域（同図の上側）において、手前側から凝縮器２４、凝縮器ファン２４Ａ及び圧縮機２３が載置されている。機械室１５の前面パネル１６Ａにおける凝縮器２４の前方に対応する位置には、冷却風となる外気の吸気口１７が設けられている。また、圧縮機２３の右側には、詳しくは後記する電装箱４０が設置されている。なお、機械室１５内の右手前の位置には、操作用ボックス１９が設置されている。
【００１４】
貯蔵室１１の天井部分には、ドレンパンを兼ねたエアダクト２６が張設されてその上方に冷却器室２７が形成されている。エアダクト２６の手前側の領域には吸込口２８が、奥側には吹出口２９がそれぞれ形成されている。冷却器室２７内には、上記したユニット台２１の下面に装着された冷却器３１（蒸発器）が浮いた状態で収容されており、冷却器３１は冷凍装置２２と冷媒配管で循環接続され、冷凍サイクルが構成されている。また、吸込口２８に臨んで庫内ファン３３が装備されている。
【００１５】
そして、冷凍装置２２（圧縮機２３）を運転しつつ庫内ファン３３を駆動すると、貯蔵室１１の室内空気が庫内ファン３３によって吸込口２８から冷却器室２７内に吸引され、その空気が冷却器３１を流通する間に熱交換によって冷気が生成され、その冷気が吹出口２９から貯蔵室１１の奥面に沿うようにして吹き出され、貯蔵室１１内に冷気が循環供給されて冷却される。この冷却運転の間には凝縮器ファン２４Ａが併せて駆動され、機械室１５の吸気口１７から吸い込まれた外気（冷却風）が凝縮器２４、さらには圧縮機２３に当てられてこれらが冷却され、冷却に供したのちの排熱は後面側に排出される。  
一方この間に、冷却器室２７内に装備された温度センサ３５によって庫内温度が検知され、その検知温度に基づき冷凍装置２２の運転と停止とが制御されることにより、貯蔵室１１内が予め定められた設定温度にほぼ維持されるようになっている。
【００１６】
続いて、電装箱４０の構造を説明する。  
電装箱４０は、箱本体４１と放熱板５０とから構成され、図４及び図５に示すように、全体としては、正面形状がやや横長の長方形をなす比較的薄い縦向きの箱状に組み付けられ、冷凍装置２２の駆動制御回路等が形成された回路基板６０が内部に収容されている。
箱本体４１は合成樹脂製であって、背面側が開口された箱形に形成され、正面から見た右側の側板４３の下端には、ユニット台２１上にねじ４５で固定される取付板４６が形成されているとともに、左側の側板４３には、ユニット台２１上に立てられたブラケット４７に差し込まれる上下一対の差込部４８が形成されている。
【００１７】
放熱板５０は、アルミニウム等の伝熱性に優れた金属製であって、上記した箱本体４１よりも一回り小さくかつ浅い正面開口の箱形に形成されている。そして放熱板５０が、箱本体４１の背面開口内に嵌められ、重なった側板４３，５２同士を、複数箇所においてねじ５４で締結することにより結合されるようになっている。  
この放熱板５０における背面板５１の内面には、正面から見た左側に寄った領域に回路基板６０が取り付けられている。回路基板６０は正面方形状に形成されており、その四隅がスペーサ６１を介して背面板５１に対してねじ６２で止められ、回路基板６０は、背面板５１との間に所定間隔を開けた平行姿勢で取り付けられている。
【００１８】
回路基板６０には、上記したように冷凍装置２２の駆動制御回路等を構成するべく導電路（図示せず）が形成され、かつ同導電路と接続された電気部品やコネクタ６５が搭載されている。電気部品のうち、例えばリレー等の発熱部品６４は、回路基板６０の裏面に搭載され、放熱板５０の背面板５１若しくは同背面板５１の内面に突設された伝熱突部５１Ａに対して、接触または接近して配されるようになっている。  
回路基板６０の表面には、正面から見た左右の側縁と下縁に沿って、図示８個のコネクタ６５が取り付けられている。このコネクタ６５は、例えば雄側のコネクタであって、フード部６６内に雄端子６７が突出された構造である。
【００１９】
一方、箱本体４１の正面板４２には、上記した回路基板６０上のコネクタ６５の配列に対応して、正面「凹」字状をなす凹溝７０が凹み形成されている。この凹溝７０は、電装箱４０全体の厚さの略半分の深さ寸法を有し、図５に示すように、溝底に向けて次第に溝幅が狭くなるような断面形状となっている。この凹溝７０の溝底には、上記したコネクタ６５と対応する位置ごとに、各コネクタ６５の突出端側をほぼ緊密に挿通する挿通孔７１が開口されている。コネクタ６５の嵌合端面は、溝底から若干突出する設定となっている。
【００２０】
各コネクタ６５には、それぞれ相手コネクタ７５が嵌合可能とされている。各相手コネクタ７５は、冷凍装置２２や防露ヒータ（図示せず）から引き出された電線７６（電線群）の端末に取り付けられており、内部に各電線と接続された雌端子が収容され、上記したコネクタ６５のフード部６６内に嵌合される雌側のコネクタとなっている。  
コネクタ６５と対応する相手コネクタ７５が嵌合されることで雌雄の端子金具が接続され、両コネクタ６５，７５が嵌合された状態では、両コネクタ６５，７５とも凹溝７０内に収まるようになっている。
【００２１】
続いて、本実施形態の作用を説明する。電装箱４０は、例えば以下のようにして組み付けられる。まず回路基板６０が、放熱板５０における背面板５１の内面に対し、スペーサ６１を介してねじ６２で止めることによって、所定間隔を開けて固定される。これに伴い、回路基板６０の裏面に設けられた発熱部品６４は、放熱板５０の背面板５１若しくは同背面板５１の内面に突設された伝熱突部５１Ａに対して、接触または接近して配される。
このように回路基板６０が取り付けられた放熱板５０が、箱本体４１の背面開口の内側に嵌合され、重なった側板４３，５２同士を複数箇所でねじ５４で止めることにより結合される。このとき、回路基板６０の表面側に設けられた各コネクタ６５の突出端側が、溝底に開口された対応する挿通孔７１を通して凹溝７０の底部内に突出する。
【００２２】
このように組み付けられた電装箱４０は、図３に示すように、放熱板５０を圧縮機２３側に向けた前後方向に沿った姿勢でユニット台２１上に載せられ、まず前側（同図の左側）の側板４３に設けられた上下一対の差込部４８がブラケット４７に後方から差し込まれる。続いて取付板４６がねじ４５で止められることによって、電装箱４０はユニット台２１上の所定位置において所定の姿勢で固定される。  
ユニット台２１上の冷凍装置２２、温度センサ３５等から引き出された電線７６に接続された相手コネクタ７５は、図５に示すように、凹溝７０内において、その底部に臨んでいる対応するコネクタ６５に対して嵌合される。また、防露ヒータ等のユニット台２１以外から機械室１５内に引き出された相手コネクタ７５は、冷却ユニット２０が機械室１５の底面に設置されたのち、同様に凹溝７０内において、その底部に臨んでいる対応するコネクタ６５に対して嵌合される。
【００２３】
冷却運転中には、凝縮器ファン２４Ａが駆動され、図３の矢線に示すように、冷却風である外気が吸引されて凝縮器２４を冷却し、さらには圧縮機２３を冷却することに機能するが、その冷却風の一部が圧縮機２３と電装箱４０との間（冷却風路３７）を流通する。ここで電装箱４０の放熱板５０、特にその背面板５１が、冷却風の流通方向に沿って延びた形態で冷却風路３７と対向して設けられているから、背面板５１が効率良く冷却されて放熱が促進される。そのため、同背面板５１の内面に接触または近接して配された発熱部品６４から、良好に放熱が促される。
【００２４】
一方、コネクタ６５，７５同士が嵌合して配された凹溝７０が形成されてなる箱本体４１の正面板４２は、冷却風路３７に対しては裏側に位置していることになるから、同正面板４２側には外気が回り難く、一部が回ったとしても同正面板４２の表面に沿うように流れて凹溝７０内には流入し難い。したがって仮に外気中に塵埃が混じっていてもコネクタ６５，７５同士の接続部分に侵入することが回避され、もって接触不良が防止される。
【００２５】
以上のように本実施形態によれば、電装箱４０における冷却風路３７の裏側に位置する正面板４２に凹溝７０を設け、そこにコネクタ６５を臨ませて相手コネクタ７５と嵌合接続するといった簡単な構造でもって、コネクタ６５，７５同士の接続部分に塵埃が侵入することを確実に防止し、その結果接触不良等の発生を防止して電気的接続の信頼性を高めることができる。
【００２６】
電装箱４０側のコネクタ６５が、凹溝７０の底部側といった、言わば電装箱４０の外面から引っ込んだ位置に配されているから、電装箱４０自体を取り扱う場合に、コネクタ６５を他の部材等にぶつけるおそれがない。また電装箱４０の設置後にも、同コネクタ６５は相手コネクタ７５ともども凹溝７０内に収まっているから、機械室１５内へ他の部材を出し入れするような場合にも、コネクタ６５，７５に対して不用意に引っ掛けることから回避される。  
また、電装箱４０側のコネクタ６５を外部に臨ませる位置が、箱本体４１の正面板４２に形成された凹溝７０の底部といった、回路基板６０側に近い位置に設定できるから、コネクタ６５を回路基板６０に直接に取り付けた状態で外部に臨ませることができる。そのため、コネクタ６５と回路基板６０とを接続する内部配線が不要にできて、構造がすっきりとまとまる上に、部品点数が削減されて安価に対応することができる。
【００２７】
＜実施形態２＞
次に、本発明の実施形態２を図６ないし図８によって説明する。  
この実施形態では、上記の実施形態１に示した凹溝７０の開口を覆うカバー８０が備えられている。  
カバー８０は合成樹脂製であって、図６に示すように、凹溝７０の形成領域よりも一回り大きい正面方形状に形成されている。一方、電装箱４０の箱本体４１の正面板４２には、凹溝７０の各３辺における外側の側縁に沿うようにして、図示２本ずつのガイド部８５が一体形成されている。
【００２８】
各ガイド部８５は、図８に示すように、正面板４２から直角に立ち上がったのち内方に向けて直角曲げされた断面鈎形に形成され、言い換えると、カバー８０の左右各縁並びに下縁が同時にほぼ緊密に嵌合可能な配置で設けられている。  
また、カバー８０の下縁側の両角部には、方形状の切欠部８１が形成されており、カバー８０が正規位置に装着された場合には、図７に示すように、同切欠部８１を通して、凹溝７０の下側の両角部が開放されるようになっている。切欠部８１自身の隅には、丸みが付けられている。  
その他の構造については上記実施形態１と同様であって、同一機能を有する部位については、同一符号を付すことで重複した説明は省略する。
【００２９】
実施形態２の作用は、以下のようである。電装箱４０の凹溝７０の底部に臨んだコネクタ６５に対して、相手コネクタ７５が嵌合される。このとき相手コネクタ７５の電線７６は、凹溝７０内を通って下側のいずれか一方の角、または両角に向けて導かれる。  
次に、カバー８０が、凹溝７０の開口を覆うようにして上方から差し込まれる。カバー８０は、左右両側縁を左右のガイド部８５に嵌めて、それで案内されつつ正面板４２の表面に沿って押し込まれ、押し込みの終盤では、凹溝７０の角にまとめられた相手コネクタ７５の電線７６が切欠部８１に通され、カバー８０の下縁が下側のガイド部８５に嵌ったところで押し込みが停止される。これにより、凹溝７０の開口がカバー８０によって覆われ、また相手コネクタ７５の電線７６は、凹溝７０の下側の角からカバー８０の切欠部８１を通して外部に引き出された状態となる。  
そのため、外気中に混じった塵埃が、凹溝７０内すなわちコネクタ６５，７５同士の嵌合部分に侵入することが、より確実に防止される。メンテナンス等において、コネクタ６５，７５同士の嵌合を外す必要が生じた場合は、カバー８０を上方に滑らせつつ外せばよい。
【００３０】
実施形態２によれば、凹溝７０を覆うカバー８０が脱着可能に設けられているから、稼働時にはカバー８０を装着することによって、凹溝７０内すなわちコネクタ６５，７５同士の嵌合部分に塵埃が侵入することがより確実に防止され、また、メンテナンス等においてコネクタ６５，７５同士の嵌合を外す必要がある場合は、カバー８０を外すことで簡単に対応できる。  
しかもカバー８０は、電装箱４０の正面板４２に沿って上方から抜き差しすることで脱着できるから、操作が簡単で、かつ脱着用のスペースも少なくて済む。また、カバー８０の下縁側の角に切欠部８１を設けるといった簡単な構造により、相手コネクタ７５の電線７６を凹溝７０内から外部へまとめて導出することができ、正面板４２の表面側をすっきりとまとめることができる。
【００３１】
＜実施形態３＞
本発明の実施形態３を図９ないし図１２によって説明する。  
上記の実施形態１に示したように、電装箱４０側のコネクタ６５は、電装箱４０内に収納された回路基板６０上に直に搭載されている。一方、この種の冷蔵庫の駆動制御回路を構成した回路基板６０では、仕様が異なる等により、場所によってはコネクタ６５の有無ができる場合がある。実施形態１のものでは、仮にコネクタ６５が無いと、凹溝７０の溝底に形成された挿通孔７１が開口されたままに留め置かれ、塵埃等の侵入を招くおそれがある。  
この実施形態３は、上記のような不具合を解決するべくなされている。なお以下の説明では、実施形態１と同一機能を有する部位については、実施形態１と同一符号を付して説明する。
【００３２】
実施形態３の電装箱４０は、実施形態１と同様に、凹溝７０が形成された合成樹脂製の箱本体４１と、金属製の放熱板５０とから構成されているが、箱本体４１と放熱板５０とは、例えば四隅等において背の高いスペーサ９０を挟みつつ、開口縁同士が突き合わされ、スペーサ９０の配設部分でねじ止めすることによって組み付けられている。  
ここで、放熱板５０の内面にはスペーサ６１を介して回路基板６０（本発明の基板に相当）が取り付けられて、その表面にコネクタ６５が搭載されるようになっているとともに、凹溝７０の溝底の対応位置には、コネクタ６５の突出端側をほぼ緊密に挿通する挿通孔７１が開口されているが、それに加え、挿通孔７１の裏側の口縁からは、コネクタ６５の回りを囲む角筒部９２が突設され、その先端が、回路基板６０の表面まで延びて形成されている。
【００３３】
実施形態３によれば、回路基板６０上のコネクタ搭載位置において、コネクタ６５が搭載されている場合は、図９及び図１０に示すように、同コネクタ６５は角筒部９２から挿通孔７１を通って、その突出端が凹溝７０の底部内に突出し、相手コネクタ（図示せず）と嵌合される。一方、同位置にコネクタ６５が搭載されない場合でも、図１１及び図１２に示すように、挿通孔７１の裏側の口縁から延出して形成された角筒部９２が回路基板６０まで達していることにより、角筒部９２の先端が回路基板６０自身で塞がれた状態となる。よって、塵埃や害虫等の異物が電装箱４０内に侵入することが防止される。コネクタ６５が搭載されていない場合でも、別途挿通孔７１を塞ぐ手段を講じる必要がない。そのため、構造並びに組み付け作業が簡単に留められる。また、角筒部９２は、回路基板６０の高さ位置（放熱板５０からの離間位置）を定めることにも寄与し得る。
【００３４】
＜実施形態４＞
図１３及び図１４は、本発明の実施形態４を示す。この実施形態４では、コネクタ搭載位置にコネクタ６５（図９参照）が搭載されない場合において、凹溝７０の溝底の対応する挿通孔７１を塞ぐ別の手段を示している。  
すなわち実施形態４では、挿通孔７１よりも一回り大きい平面形状で、かつ回路基板６０と凹溝７０の外底面との間隔にほぼ等しい高さ寸法を持ったブロック状の閉鎖体９５が準備されている。そして、コネクタ６５が搭載されない場合に、代わって閉鎖体９５を搭載しておくと、閉鎖体９５が挿通孔７１を閉鎖する。同じく、塵埃や害虫等の異物が電装箱４０内に侵入することが防止される。
【００３５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）凹溝を設ける面としては、例えば箱本体の奥側の側板等、要は冷却風路と対向しない面であればよい。
（２）実施形態２のようにカバーを装着する場合において、相手コネクタの電線を凹溝から外部に逃がす手段としては、箱本体の正面板に、凹溝に連通した逃がし溝を形成するようにしてもよい。
（３）実施形態３，４に例示した挿通孔の閉鎖手段は、実施形態２に示したカバーを装着する形式のものにも適用可能である。
【００３６】
（４）電装箱として、内部に発熱部品を収容しない形式のものでは、放熱板は除去してもよく、そのようなものも本発明の技術的範囲に含まれる。
（５）本発明は冷蔵庫以外にも、冷凍庫、冷凍冷蔵庫、恒温高湿庫等、冷凍装置を設置した機械室内に電装箱を併せて装備した冷却貯蔵庫全般に広く適用することができる。
【図面の簡単な説明】
【００３７】
【図１】本発明の実施形態１に係る冷蔵庫の斜視図
【図２】その内部構造を示す部分縦断面図
【図３】冷却ユニットの平面図
【図４】電装箱の正面図
【図５】その平断面図
【図６】実施形態２に係る電装箱のカバー装着前の正面図
【図７】カバー装着後の正面図
【図８】電装箱の平断面図
【図９】実施形態３のコネクタが搭載された状態の部分断面図
【図１０】その部分正面図
【図１１】コネクタが搭載されていない状態の部分断面図
【図１２】その部分正面図
【図１３】実施形態４のコネクタが搭載されていない状態の部分断面図
【図１４】その部分正面図
【符号の説明】
【００３８】
１０…冷蔵庫本体（貯蔵庫本体）  １５…機械室  ２０…冷却ユニット  ２１…ユニット台  ２２…冷凍装置  ２３…圧縮機  ２４…凝縮器  ２４Ａ…凝縮器ファン  ３７…冷却風路  ４０…電装箱  ４１…箱本体  ４２…正面板  ５０…放熱板  ６０…回路基板（制御部）  ６５…（電装箱４０側の）コネクタ  ７０…凹溝（凹部）  ７１…挿通孔  ７５…相手コネクタ  ７６…電線  ８０…カバー  ８１…切欠部  ８５…ガイド部  ９２…角筒部（筒部）
【図１】
0004653646.tif 000002
【図２】
0004653646.tif 000003
【図３】
0004653646.tif 000004
【図４】
0004653646.tif 000005
【図５】
0004653646.tif 000006
【図６】
0004653646.tif 000007
【図７】
0004653646.tif 000008
【図８】
0004653646.tif 000009
【図９】
0004653646.tif 000010
【図１０】
0004653646.tif 000011
【図１１】
0004653646.tif 000012
【図１２】
0004653646.tif 000013
【図１３】
0004653646.tif 000014
【図１４】
0004653646.tif 000015